(57)【要約】【課題】塵埃吸引装置のファンに吸引した塵埃が換気開口部に取付けられている切替えダンパーの表面に付着、堆積して塵埃吸引装置の吸引風量が低下し、塵埃の吸引性能が低下し、最悪の場合、塵埃の吸引が不可能になる場合があるという課題があった。【解決手段】塵埃吸引装置の換気開口部上部に死水域の領域を形成する整流板を設け、塵埃吸引装置のファンに吸引した塵埃の流れによどみを設け換気開口部に取付けられている切替えダンパーの表面への付着、堆積を防止して塵埃吸引装置の吸引風量が低下による、塵埃の吸引性能の低下を防止する。【選択図】図４
2006308220.tif 000002
【特許請求の範囲】
【請求項１】
排気ファンと、前記排気ファンへの空気流路を、塵埃吸引装置からの流路とその他の流路に切替えダンパーにより切替える空気調和機の室内ユニットにおいて、前記排気ファンの換気開口部の入り口近傍に空気の整流板を設けたことを特徴とする空気調和機の室内ユニット。
【請求項２】
整流板は、排気ファンの入り口近傍に設けられ前記排気ファンへの流入空気を整流するガイドリブに接続されていること特徴とする、請求項１に記載の空気調和機の室内ユニット。
【発明の詳細な説明】
【技術分野】
【０００１】
本発明は空気調和機の室内ユニットに関し、さらに詳しくは前記室内ユニットに搭載したフィルターの清掃を自動的に行う塵埃吸引装置の塵埃吸引装置の構造に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。
【０００３】
こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００４】
このため、フィルターのメンテナンスの手間を低減する目的で搭載するエアフィルターの自動清掃装置として好ましいのは、フィルターに付着した塵埃を吸引ノズルを介して塵埃吸引装置により吸引清掃し、吸引された塵埃は室外へ排出する自動清掃装置であり、この技術にかかる発明が考案されている。
【０００５】
図６は前記自動清掃装置に用いられる従来の塵埃吸引装置の断面図である。
【０００６】
この装置は切替えダンパー１５の開閉により、室内空気の換気運転と塵埃排出運転を使い分けており、前記換気時の送風性能を確保するために、切替えダンパー部分の開口面積をできるだけ大きく取るような構成であった（例えば、特許文献１参照）。
【特許文献１】特開平０４−０８４０４２号公報
【発明の開示】
【発明が解決しようとする課題】
【０００７】
しかしながら、フィルターに付着した塵埃を吸引ノズルを介して塵埃吸引装置により吸引清掃し、吸引された塵埃は室外へ排出するが、塵埃吸引装置のファンに吸引した塵埃が換気開口部に取付けられている切替えダンパーの近傍に付着、堆積して塵埃吸引装置の吸引風量が低下して吸引性能が低下し、最悪の場合、塵埃の吸引が不可能になる場合があるという課題があった。
【０００８】
本発明は、前記従来の課題を解決するもので、塵埃吸引装置の換気開口部上部に死水域の領域を防止する整流板を設け、塵埃吸引装置のファンに吸引した塵埃の流れのよどみを防止し、換気開口部に取付けられている切替えダンパーの表面への付着、堆積を防止して塵埃吸引装置の吸引風量が低下による、塵埃の吸引性能の低下を防止し、信頼性の高い空気調和機の塵埃吸引装置を提供することを目的とする。
【課題を解決するための手段】
【０００９】
前記従来の課題を解決するために本発明の請求項１は、排気ファンと、前記排気ファンへの空気流路を、塵埃吸引装置からの流路とその他の流路に切替えダンパーにより切替える空気調和機の室内ユニットにおいて、前記排気ファンの換気開口部の入り口近傍に空気の整流板を設けたものである。
【００１０】
この構成をなすことによって、フィルターに付着した塵埃を吸引ノズルを介して塵埃吸引装置により吸引された塵埃は、換気開口部上部に死水域の形成を防止する整流板の働きにより、換気開口部に取付けられている切替えダンパーの近傍への塵埃の付着を防止し、塵埃の付着堆積にともなう塵埃吸引装置の吸引風量の低下を防止することにより塵埃の吸引性能の低下を防ぎ、信頼性の高い空気調和機の室内ユニットを提供することができる。
【発明の効果】
【００１１】
本発明の空気調和機の室内ユニットによれば、空気調和機の塵埃吸引装置の換気開口部上部に死水域の形成を防止する整流板を設けたことにより、換気開口部に取付けられている切替えダンパー近傍への塵埃の付着、堆積にともなう塵埃吸引装置の吸引風量の低下を防止することにより塵埃の吸引性能の低下を防ぐことができる。
【発明を実施するための最良の形態】
【００１２】
第１の発明は、排気ファンと、前記排気ファンへの空気流路を、塵埃吸引装置からの流路とその他の流路に切替えダンパーにより切替える空気調和機の室内ユニットにおいて、前記排気ファンの換気開口部の入り口近傍に空気の整流板を設けたことにより、前記塵埃吸引装置のファンに吸引した塵埃の流れのよどみを防止し、換気開口部に取付けられている切替えダンパー表面への付着を防止することにより、塵埃吸引装置のファンに吸引した塵埃の換気開口部に取付けられている切替えダンパー表面への付着、堆積にともなう塵埃吸引装置の吸引風量の低下を防止することにより塵埃の吸引性能の低下を防ぎ、信頼性の高い空気調和機の塵埃吸引装置を提供することができる。
【００１３】
第２の発明は、特に、第１の発明の整流板を、排気ファンの入り口近傍に設けられ前記排気ファンへの流入空気を整流するガイドリブに接続することにより、塵埃吸引装置のファンに吸引した塵埃の流れのよどみを防止し、換気開口部に取付けられている切替えダンパー近傍への付着を防止し、塵埃吸引装置のファンに吸引した塵埃の換気開口部に取付けられている切替えダンパー表面への付着堆積にともなう塵埃吸引装置の吸引風量の低下を防止することにより塵埃の吸引性能の低下を防ぎ、信頼性の高い空気調和機の塵埃吸引装置を提供することができる。
【００１４】
以下、本発明の実施の形態について図面を参照して説明する。
【００１５】
なお、この実施の形態によって本発明が限定されるものではない。
【００１６】
（実施の形態１）
図１は、本発明の第１の実施の形態における空気調和機の室内ユニットの正面図であり、図２は室内ユニットのＡ−Ａ断面図である。
【００１７】
図３にも示すように、室内機１内の側面近傍には、エアフィルター２に付着した塵埃を吸引して排出するための塵埃吸引装置３が設置されている。
【００１８】
この塵埃吸引装置３の吸い込み側部分（吸い込みダクト接続口４）には、蛇腹形状の吸い込みダクト５を介して吸い込みノズル６が接続されているとともに、塵埃吸引装置３の吹き出し側部分（排気ダクト接続口７）には、その先端が室外へ連通されている排気ダクト８が接続されている。
【００１９】
吸い込みノズル６におけるエアフィルター２に臨む面には、エアフィルター２の上面部から前面部にかけて複数の吸い込み孔６ａが並んで形成され、後述する塵埃吸引装置３の吸引動作により、各吸い込み孔６ａからエアフィルター２の塵埃を吸い込み可能に構成されている。
【００２０】
図４〜図５に示すように、塵埃吸引装置３は、吸排気モータ９により回転される遠心式のファン１０と、このファン１０を収容するケーシング１１と、このケーシング１１の風上側にケーシング１１と一体的に設けられた吸引カバー１２と、ケーシング１１などが取り付けられている取付基板１３とを有する。
【００２１】
この構成において、吸排気モータ９を吸引のため正転させるとともに、ノズル駆動用モータ１４を駆動させる。すると、塵埃吸引装置３が作動した状態で、吸い込みノズル６がエアフィルター２の風上側の面に沿って移動し、この際、エアフィルター２に付着した塵埃が空気とともに吸い込み孔６ａを通して吸い込みノズル６内に吸い込まれ、吸い込みダクト５から塵埃吸引装置３に吸引された塵埃が空気とともに排気ダクト８を通して室外に排出される。
【００２２】
ここで、長期間使用した場合、換気開口部に取付けられている切替えダンパー１５の近傍に塵埃が堆積する可能性がある。
【００２３】
このため、本発明ではファン１０とケーシング１１から塵埃吸引装置の換気開口部上部に死水域の形成を防止する整流板１６を設けて、ファン１０に吸引した塵埃の流れをスムーズことにより、換気開口部に取付けられている切替えダンパー１５の近傍への付着堆積を防止し、ファン１０に吸引した塵埃の換気開口部に取付けられている塵埃吸引装置の吸引風量の低下に伴う塵埃の吸引性能および換気性能の低下を防止し、信頼性の高い空気調和機の室内ユニットを提供することができる。
【００２４】
また、図４に示すように塵埃吸引装置３のファン１０の外周面近傍に設けられたガイドリブ１７に、換気開口部上部に死水域の形成を防止する整流板を接するように設けたことにより、塵埃吸引装置３のファン１０に吸引した塵埃の換気開口部に取付けられている切替えダンパー１５の近傍への付着堆積にともなう塵埃吸引装置３の吸引風量の低下に伴う塵埃の吸引性能および換気性能の低下を防ぎ、信頼性の高い空気調和機の室内ユニットを提供することができる。
【産業上の利用可能性】
【００２５】
以上のように、本発明にかかる空気調和機は、空気調和機以外においても、排気ファンを有し、室外に排気を行う機器に対しても適用可能である。
【図面の簡単な説明】
【００２６】
【図１】本発明の実施の形態１における空気調和機の室内ユニットの正面図
【図２】本発明の実施の形態１における空気調和機の室内ユニットのＡ−Ａ断面図
【図３】本発明の実施の形態１における自動清掃装置の斜視図
【図４】本発明の実施の形態１における塵埃吸引装置の断面図
【図５】本発明の実施の形態１における塵埃吸引装置の断面斜視図
【図６】従来の塵埃吸引装置の断面図
【符号の説明】
【００２７】
１  室内ユニット
２  エアフィルター
３  塵埃吸引装置
４  吸い込みダクト接続口
５  吸い込みダクト
６  吸い込みノズル
７  排気ダクト接続口
８  排気ダクト
９  吸排気モータ
１０  ファン
１１  ケーシング
１２  吸引カバー
１５  切替えダンパー
１６  整流板
１７  ガイドリブ
【図１】
2006308220.tif 000003
【図２】
2006308220.tif 000004
【図３】
2006308220.tif 000005
【図４】
2006308220.tif 000006
【図５】
2006308220.tif 000007
【図６】
2006308220.tif 000008